(57)【要約】      （修正有）【課題】左右の履物の踵支持部に対する装着作業をそれぞれ適正に行い、板状突部による人体への作用効果を適正に発揮させることができる履物に用いる踵用中敷を提供する。【解決手段】足裏を支持する履物の足裏支持面のうち足の踵を支持する踵支持面に支持される踵用中敷シートの表面又は裏面に対し、足の踵骨の隆起部と対応するように、足の神経を刺激して足の姿勢を矯正するための板状突部を設け、右足用の踵用中敷シート及び左足用の踵用中敷シートに対し、右足用と、左足用とを識別するための識別手段として、右足用の踵用中敷シートの表面又は裏面に対し、識別手段としての「右」を意味する文字を表し、左足用の踵用中敷シートの表面又は裏面に対し、識別手段として「左」を意味する文字を表したことを特徴とする。【選択図】図１
0003153548.tif 000002
【実用新案登録請求の範囲】
【請求項１】
足裏を支持する履物の足裏支持面のうち足の踵を支持する踵支持面に支持される踵用中敷シートの表面又は裏面に対し、足の踵骨の隆起部と対応するように、足の神経を刺激して足の姿勢を矯正するための板状突部を設け、右足用の踵用中敷シート及び左足用の踵用中敷シートに対し、右足用と、左足用とを識別するための識別手段を設けたことを特徴とする履物に用いる踵用中敷。
【請求項２】
請求項１に記載の踵用中敷において、右足用の踵用中敷シートの表面又は裏面に対し、識別手段としての「右」を意味する文字を表し、左足用の踵用中敷シートの表面又は裏面に対し、識別手段として「左」を意味する文字を表したことを特徴とする履物に用いる踵用中敷。
【請求項３】
請求項１又は２に記載の踵用中敷において、前記板状突部は、平面視正六角形に形成され、該板状突部は踵用中敷シートの裏面に接着され、前記板状突部と対応する踵用中敷シートの表面には、該板状突部の中心を通る一本の対角線の方向を表す矢印、Ｔ字線又は十字線が表記されていることを特徴とする履物に用いる踵用中敷。
【請求項４】
請求項３に記載の踵用中敷において、前記板状突部の前記対角線の延長線は、踵用中敷の使用状態において、前記板状突部の中心と足の親指の中心を結ぶ第１直線と、同じく前記板状突部の中心と足の人指指の中心を結ぶ第２直線との間に設定されていることを特徴とする履物に用いる踵用中敷。
【請求項５】
請求項１に記載の踵用中敷において、踵用中敷シートの前側には足の土踏まずと対応する靴の底面の左右の側壁の形状に沿うように識別手段としての識別シートが形成されていることを特徴とする履物に用いる踵用中敷。
【請求項６】
請求項１〜５のいずれか一項に記載の踵用中敷において、前記板状突部は、前記中敷シートの表面に対し、前記板状突部を成形するキャビティを有する成形型を接触させ、前記キャビティに熔融樹脂を注入して発泡させることにより成形されたものであることを特徴とする履物に用いる踵用中敷。
【請求項７】
請求項１〜５のいずれか一項に記載の踵用中敷において、踵用中敷シートの裏面には、履物の踵支持面に粘着される粘着層が接着されていることを特徴とする履物に用いる踵用中敷。
【請求項８】
請求項１〜７のいずれか一項に記載の踵用中敷において、踵用中敷シートは、履物の踵支持面の形状よりも予め大きく形成され、使用前に踵支持面の形状に適合するように裁断されるようにしたことを特徴とする履物に用いる踵用中敷。
【請求項９】
請求項１〜８のいずれか一項に記載の踵用中敷において、踵用中敷は、卵形、円形、楕円形、半円形又は半楕円形に形成されていることを特徴とする履物に用いる踵用中敷。
【考案の詳細な説明】
【技術分野】
【０００１】
本考案は、例えば、靴、下駄、スリッパ、サンダル、ハイヒール、足袋或いは靴下等の履物に用いる踵用中敷に関する。
【背景技術】
【０００２】
従来、足の神経を刺激することによりアキレス腱の姿勢を正常化して、足を本来の姿勢に矯正することができ、歩行による足の血液（ポンプ）循環を促進し、健康の増進を図ることができる靴に用いる中敷として、本願出願人は特許文献１に記載されたものを提案している。この中敷は、足裏を支持する靴の底面全域にわたって支持され、中敷の踵部の裏面には、平面視六角形状の板状突部が接着されている。そして、前記板状突部の作用により中敷は、上述した作用効果を発揮することができる。
【先行技術文献】
【特許文献】
【０００３】
【特許文献１】特開２００６−２３１０４１号公報
【考案の概要】
【考案が解決しようとする課題】
【０００４】
前述した靴の中敷は、靴の底面の平面形状と同様に、すなわち足裏の平面形状と対応するように形成されていた。このため、左右の靴の底面に中敷をそれぞれ収容する際に、外形状を見れば、左右どちらの中敷かが識別できるので、左右の中敷を取り違えて収容するような問題は殆ど生じなかった。
【０００５】
中敷が靴の足裏支持面のうち踵支持面と対応するように局部的に小さく形成されている踵用中敷の場合には、材料費が節減できるとともに、靴への中敷の装着作業が容易となることが判明したので、実用性が高いことが判った。しかし、踵用中敷は、右足用のものも左足用のものもそれぞれ左右対称に形成されるので、踵用中敷の平面形状から左右どちらの踵用中敷であるかを識別することが非常に難しいという新たな問題があることが判った。そして、踵用中敷を左右逆に収容して使用すると、板状突部による足の矯正効果が低下することも判明した。六角形の板状突部は、その中心を通る一本の対角線の指向する方向が所定の方向、即ち、前記板状突部の中心と足の親指の中心とを結ぶ直線を第１直線とし、前記板状突部の中心と足の人差し指の中心とを結ぶ直線を第２直線とすると、前記対角線の延長線の前方への指向方向を、前記第１直線と第２直線との間に指向するように設定することにより、足の矯正効果が最も優れていることが実験により確認されている。
【０００６】
本考案は、左右の履物の踵支持面に対する装着作業をそれぞれ適正に行い、板状突部による足の矯正効果を適正に発揮させることができる履物に用いる踵用中敷を提供することにある。
【課題を解決するための手段】
【０００７】
上記問題点を解決するために、請求項１に記載の考案は、足裏を支持する履物の足裏支持面のうち足の踵を支持する踵支持面に支持される踵用中敷シートの表面又は裏面に対し、足の踵骨の隆起部と対応するように、足の神経を刺激して足の姿勢を矯正するための板状突部を設け、右足用の踵用中敷シート及び左足用の踵用中敷シートに対し、右足用と、左足用とを識別するための識別手段を設けたことを要旨とする。
【０００８】
請求項２に記載の考案は、請求項１において、右足用の踵用中敷シートの表面又は裏面に対し、識別手段としての「右」を意味する文字を表し、左足用の踵用中敷シートの表面又は裏面に対し、識別手段として「左」を意味する文字を表したことを要旨とする。
【０００９】
請求項３に記載の考案は、請求項１又は２において、前記板状突部は、平面視正六角形に形成され、該板状突部は踵用中敷シートの裏面に接着され、前記板状突部と対応する踵用中敷シートの表面には、該板状突部の中心を通る一本の対角線の方向を表す矢印、Ｔ字線又は十字線が表記されていることを要旨とする。
【００１０】
請求項４に記載の考案は、請求項３において、前記板状突部の前記対角線の延長線は、踵用中敷の使用状態において、前記板状突部の中心と足の親指の中心を結ぶ第１直線と、同じく前記板状突部の中心と足の人指指の中心を結ぶ第２直線との間に設定されていることを要旨とする。
【００１１】
請求項５に記載の考案は、請求項１において、踵用中敷シートの前側には足の土踏まずと対応する靴の底面の左右の側壁の形状に沿うように識別手段としての識別シートが形成されていることを要旨とする。
【００１２】
請求項６に記載の考案は、請求項１〜５のいずれか一項において、前記板状突部は、前記中敷シートの表面に対し、前記板状突部を成形するキャビティを有する成形型を接触させ、前記キャビティに熔融樹脂を注入して発泡させることにより成形されたものであることを要旨とする。
【００１３】
請求項７に記載の考案は、請求項１〜５のいずれか一項において、踵用中敷シートの裏面には、履物の踵支持面に粘着される粘着層が接着されていることを要旨とする。
請求項８に記載の考案は、請求項１〜７のいずれか一項において、踵用中敷シートは、履物の踵支持面の形状よりも予め大きく形成され、使用前に踵支持面の形状に適合するように裁断されるようにしたことを要旨とする。
【００１４】
請求項９に記載の考案は、請求項１〜８のいずれか一項において、踵用中敷は、卵形、円形、楕円形、半円形又は半楕円形に形成されていることを要旨とする。
（作用）
この考案は、踵用中敷シートに設けられた識別手段によって、左右どちらの踵用中敷であるかを目視により容易に識別することができるので、左右の履物の踵支持面に適した踵用中敷を間違えることなく容易に装着することができる。このため、板状突部による足の矯正効果を適正に発揮させることができる。
【考案の効果】
【００１５】
本考案によれば、左右の履物の踵支持面に対する踵用中敷の装着作業をそれぞれ適正に行い、板状突部による足の矯正効果を適正に発揮させることができる。
【図面の簡単な説明】
【００１６】
【図１】（ａ）はこの考案を履物としての右足用の靴の踵用中敷に具体化した一実施形態を示す平面図、（ｂ）は右足用の踵用中敷の裏面図、（ｃ）は左足用の靴の踵用中敷の平面図、（ｄ）は左足用の踵用中敷の裏面図。
【図２】踵用中敷の板状突部を通る縦断面図。
【図３】踵用中敷の裏面に接着された板状突部の配列構造を示す踵用中敷の拡大裏面図。
【図４】右足用の靴の踵支持面に対する右足用の踵用中敷の収容状態を示す平断面図。
【図５】左足用の靴の踵支持面に対する左足用の踵用中敷の収容状態を示す平断面図。
【図６】足を収容した靴の縦断面図。
【図７】足の骨格と板状突部との関係を示す平面図。
【図８】（ａ）は、この考案の別の実施形態を示す左足用の踵用中敷の平面図、（ｂ）は右足用の踵用中敷の平面図。
【図９】（ａ）は、この考案の別の実施形態を示す左足用の踵用中敷の平面図、（ｂ）は右足用の踵用中敷の平面図。
【図１０】（ａ）は、この考案の別の実施形態を示す左足用の踵用中敷の平面図、（ｂ）は右足用の踵用中敷の平面図。
【図１１】（ａ），（ｂ）はハイヒール用の左右の踵用中敷の別の実施形態を示す平面図、（ｃ），（ｄ）は左右の踵用中敷の裏面図。
【図１２】（ａ），（ｂ）は靴用の左右の踵用中敷の別の実施形態を示す平面図、（ｃ），（ｄ）は左右の踵用中敷の裏面図。
【図１３】（ａ），（ｂ）は靴の左右の踵用中敷の別の実施形態を示す平面図、（ｃ），（ｄ）は左右の踵用中敷の裏面図。
【図１４】（ａ）〜（ｄ）はそれぞれ板状突部の別の実施形態を示す平面図。
【図１５】踵用中敷の板状突部の取付構造の別の実施形態を示す縦断面図。
【図１６】踵用中敷の別の実施形態を示す縦断面図。
【図１７】板状突部の別の実施形態を示す斜視図。
【図１８】板状突部の別の実施形態を示す斜視図。
【図１９】板状突部の取付構造の別の実施形態を示す縦断面図。
【考案を実施するための形態】
【００１７】
以下、本考案を具体化した履物に用いる踵用中敷の一実施形態を図１〜図７にしたがって説明する。
図１（ａ）に示すように、右足用の靴の底面の踵支持面に敷かれる踵用中敷１１Ａは、例えば綿、羊毛等の天然繊維或いは合成繊維等の織物、編み物、或いは不織布等の繊維製品よりなる平面視卵形の踵用中敷シート１２を備えている。
【００１８】
図１（ｂ）及び図３に示すように、前記踵用中敷シート１２の後部（図示下側）は、足の踵骨の下方への隆起部を支持する踵骨支持部１２ａとなっている。この踵骨支持部１２ａの中心Ｏ１と対応するように、該踵骨支持部１２ａの裏面には、例えばポリウレタン樹脂、塩化ビニル樹脂、アクリル樹脂、ポリエチレン樹脂又はポリプロピレン樹脂等の合成樹脂シート又は成型体或いは合成樹脂発泡体よりなる板状突部１３が図２に示すように接着剤１４によって接着されている。この板状突部１３は図３に示すように踵用中敷シート１２の裏面側から見て六つの辺１３ａと、六つの頂部１３ｂとからなる平面視正六角形に形成されている。板状突部１３の中心Ｏ２（図３では踵骨支持部１２ａの中心Ｏ１と一致）と二つの頂部１３ｂを通る対角線Ｌの長さを直径Ｆと仮定すると、この直径Ｆの寸法は、３．０〜２８．０ｍｍの範囲に設定され、図２に示す板状突部１３の厚さｔの寸法は、０．２〜３．５ｍｍの範囲に設定されている。
【００１９】
前記板状突部１３の直径Ｆの寸法は、６〜２５ｍｍが望ましく、さらに望ましい寸法は１２〜２２ｍｍ、最も望ましい寸法は１４〜１８ｍｍである。又、板状突部１３の厚さｔの望ましい寸法は０．５〜２．４ｍｍ、さらに望ましい範囲は０．８〜１．５ｍｍ、最も望ましい厚さｔは、１．０ｍｍである。この実施形態では板状突部１３の直径Ｆの寸法を１５ｍｍ、厚さｔの寸法を１．０ｍｍとしている。板状突部１３の材料が例えば発泡成型体や柔らかい材料のように圧縮性を有するものでは、体重によって板状突部１３が圧縮された状態で前述した各寸法になるように設定されている。従って、通常の歩行に用いる履物に使用する場合と、運動靴に用いる場合とでは、板状突部１３に作用する圧力が異なるので、非圧縮状態の板状突部１３の厚さｔ寸法は自ずと異なり、後者は前者の２〜４倍の厚さに設定される。
【００２０】
図２に示すように、前記踵用中敷シート１２の裏面には、例えばシリコーン系粘着剤、ゴム系粘着剤、アクリル系粘着剤、ウレタン系粘着剤などよりなる粘着層１５が形成され、右足用又は左足用の踵用中敷１１Ａ，１１Ｂを、右足用又は左足用の靴２１Ａ，２１Ｂの底面の踵支持面に前記粘着層１５によって粘着するようにしている。
【００２１】
図１（ａ）に示すように、前記踵用中敷シート１２の表面には、識別手段としての「右」という文字と、表裏を識別するための「表」という文字が表記されている。そして、これら２つの文字が表記された踵用中敷シート１２の表面が上になるように、図１（ａ）に示す右足用の踵用中敷１１Ａを、図４に示す右側の靴２１Ａの底の踵支持面に粘着すればよいことを目視によって識別することができるようにしている。
【００２２】
図１（ａ）に示すように、前記踵用中敷シート１２の表面には、前記板状突部１３の対角線Ｌと同じ長さの矢印１６及び前後方向に指向する中心線３６が表記されている。前記対角線Ｌ及び矢印１６は、斜め左前方に指向する矢印となっている。この理由については、後述する。そして、この矢印１６の方向によって、右足用の靴２１Ａの踵支持面に支持された踵用中敷１１Ａの板状突部１３の対角線Ｌの指向方向を容易に識別することができるようにしている。
【００２３】
図１（ｂ）に示すように、前記踵用中敷シート１２の裏面には、識別手段としての「右」という文字と、表裏を識別するための「裏」という文字が表記されている。そして、これら２つの文字が表記された踵用中敷シート１２の裏面が下になるように、踵用中敷１１Ａを図４に示す右足用の靴２１Ａの底の踵支持面に粘着層１５によって粘着すればよいことを目視によって識別することができるようにしている。
【００２４】
図１（ｃ）は、図５に示す左足用の靴２１Ｂの底の踵支持面に支持される踵用中敷１１Ｂの平面を表す。図１（ｄ）は、同じく左足用の靴２１Ｂの底の踵支持面に支持される踵用中敷１１Ｂの裏面を表す。図１（ｃ）に示すように、踵用中敷シート１２の表面には「左」、「表」という文字が表記されるとともに、前記板状突部１３の対角線Ｌと同じ長さの矢印１６及び前後方向に指向する中心線３６が表記されている。この矢印は右足用の靴２１Ａの底の踵支持面に粘着される図１（ａ）に示す踵用中敷１１Ａの矢印１６と異なり、指向方向が前方斜め右側に設定されている。図１（ｄ）に示すように、踵用中敷１１Ｂの裏面には「左」「裏」という文字が表記されている。そして、これら２つの文字が表記された踵用中敷１１Ｂの裏面が下になるように、踵用中敷１１Ｂを図５に示す左足用の靴２１Ｂの底の踵支持面に粘着層１５により粘着すればよいことを容易に識別することができるようにしている。
【００２５】
次に、図３に基づいて、前記踵用中敷シート１２の裏面に対する板状突部１３の取付位置について説明する。
この実施形態では、前記踵用中敷シート１２の踵骨支持部１２ａの中心Ｏ１に前記板状突部１３の中心Ｏ２を一致させている。又、前記板状突部１３の中心Ｏ２の踵骨支持部１２ａの中心Ｏ１を基準とする幅Ｗ方向の許容変位量は、右側及び左側へそれぞれ０〜４．５ｍｍである。さらに、前記板状突部１３の中心Ｏ２の踵骨支持部１２ａの中心Ｏ１を基準とする前方向への変位量は０〜１０ｍｍ、後方への変位量も０〜１０ｍｍである。
【００２６】
一般的に、踵骨支持部１２ａの中心Ｏ１は、図３に示すように右足用の踵用中敷１１Ａの左右方向の中心に位置するとともに、踵用中敷１１Ａの後端Ｅから前方に所定距離（一般的に１４〜２８ｍｍ）だけ離隔した位置にある。しかし、人によっては踵骨３１の中心（後述する図７の踵骨３１の隆起部３１ａの中心Ｏ３１参照）と踵骨支持部１２ａの中心Ｏ１が一致しない場合がある。この場合には、図３において、踵骨支持部１２ａの中心Ｏ１を変位させて設定し、その変位した中心Ｏ１に板状突部１３の中心Ｏ２を一致させる。この場合には変位した踵骨支持部１２ａの中心Ｏ１から板状突部１３の中心Ｏ２の前述した許容変位量が設定される。
【００２７】
次に、図４〜図６に基づいて、上記のように構成した右足用及び左足用の踵用中敷１１Ａ，１１Ｂの使用方法について説明する。
図６に示すように、例えば右足用の靴２１Ａの足３０を支持する底材（ヒール材）２２の上部外周縁には、足３０の踵部３０ａを覆う被覆部２３の下端縁が接着剤により接着されている。前記底材２２の上面には、中底２４が接着剤により接着されている。この中底２４の上面２４ａには前記踵用中敷１１Ａの踵用中敷シート１２が粘着層１５によって粘着されている。靴２１Ａの使用状態において、前記踵骨支持部１２ａと被覆部２３には、足３０の踵部３０ａが収容される。図６においては、人の体重により板状突部１３によって踵用中敷シート１２が局部的に上方に盛り上り、踵骨３１の隆起部３１ａの裏面を局部的に刺激する。この刺激によって、足の神経が刺激され、足のアキレス腱の姿勢を正常化して、足の姿勢を本来の正しい姿勢に矯正することができ、歩行による足の血液循環（ポンプ）作用を促進し、健康の増進を図ることができるという顕著な効果が得られることが実験により判明している。この効果について、特許文献１に記載されているが、この明細書においては説明を省略する。
【００２８】
次に、図７に基づいて、前記板状突部１３の対角線Ｌと対応する矢印１６の指向方向を所定方向に設定した理由を以下に説明する。
図７に示すように、前記板状突部１３は足の踵骨３１の隆起部３１ａの中心Ｏ３１と対応する位置に配設される。そして、足の親指３２の中心Ｏ３と、前記中心Ｏ１とを結ぶ直線を第１直線Ｌ１とし、前記中心Ｏ１と足の人差し指３３の中心Ｏ４とを結ぶ直線を第２直線Ｌ２とする。前記対角線Ｌの延長線Ｌ´（図１の矢印１６参照）の前方への指向方向を、前記第１直線Ｌ１と第２直線Ｌ２との間に指向するように設定することにより、足の矯正効果が最も優れていることが実験により確認されている。
【００２９】
上記のような理由によって、図４に示す右足用の靴２１Ａの底の踵支持面に粘着された右足用の踵用中敷１１Ａの板状突部１３の対角線Ｌの延長線Ｌ´は、前方左斜方向を指向するように設定される。踵用中敷シート１２の前後方向に指向する中心線３６は、靴２１Ａの前側の幅方向の中心を指向するように設定される。同様に、図５に示す左足用の靴２１Ｂの底の踵支持面に粘着された左足用の踵用中敷１１Ｂの板状突部１３の対角線Ｌの延長線Ｌ´は、前方右斜方向を指向するように設定される。踵用中敷シート１２の前後方向に指向する中心線３６は、靴２１Ａの前側の幅方向の中心を指向するように設定される。
【００３０】
次に、前記のように構成した踵用中敷１１Ａ，１１Ｂの効果について以下に記載する。
（１）上記実施形態では、図１（ａ）（ｂ）に示すように、右足用の靴２１Ａの底の踵支持面に粘着される踵用中敷１１Ａの表面に対し、「右」「表」の文字を表示するとともに、前記板状突部１３の対角線Ｌと対応する矢印１６を前方左斜方向に指向するように表記した。又、該踵用中敷１１Ａの裏面に対し、「右」「裏」の文字を表記するようにした。このため、図１（ａ）（ｂ）に示す踵用中敷１１Ａが右足用の靴２１に用いられる踵用中敷であることを容易に識別して、靴への誤装着を防止することができる。
【００３１】
（２）上記実施形態では、図１（ｃ）（ｄ）に示すように、左足用の靴２１Ｂの底の踵支持面に粘着される踵用中敷１１Ｂの表面に対し、「左」「表」の文字を表示するとともに、前記板状突部１３の対角線Ｌと対応する矢印１６を前方右斜方向に指向するように表記した。又、該踵用中敷１１Ｂの裏面に対し、「左」「裏」の文字を表記するようにした。このため、図１（ｃ）（ｄ）に示す踵用中敷１１Ｂが左足用の靴２１Ｂに用いられる踵用中敷であることを容易に識別して、靴への誤装着を防止することができる。
【００３２】
左右の踵用中敷１１Ａ，１１Ｂを左右の靴２１Ａ，２１Ｂに誤装着した場合には、板状突部１３による前述した効果を奏さないことが実験により確認されている。
（３）上記実施形態では、前記踵用中敷１１Ａ，１１Ｂの踵用中敷シート１２の外形状をほぼ卵形に設定し、前側ほど幅寸法が小さくなるようにしたので、踵用中敷１１Ａ，１１Ｂを靴２１Ａ, ２１Ｂの踵支持面へ粘着する作業を容易に行うことができる。
【００３３】
（４）上記実施形態では、中敷シート１２の裏面側に粘着層１５を形成したので、靴２１Ａ，２１Ｂの踵支持面に対する踵用中敷１１の装着を、粘着層１５によって容易に行うことができる。
【００３４】
なお、本考案は以下のような実施形態で具体化することもできる。
・図８（ａ）（ｂ）に示すように、前記踵用中敷１１Ａ，１１Ｂの踵用中敷シート１２の平面形状をほぼ楕円形状にしてもよい。又、前記矢印１６に代えて、Ｔ字状の線３４を表示し、板状突部１３の対角線の延長線Ｌ´の方向を識別できるようにしてもよい。
【００３５】
・図９（ａ）（ｂ）に示すように、前記踵用中敷１１Ａ，１１Ｂの踵用中敷シート１２を平面視小判型に形成してもよい。
・図１０（ａ）（ｂ）に示すように、ハイヒールに適用可能に前記踵用中敷シート１２の平面形状を細長い形状にしてもよい。又、板状突部１３の対角線を識別する線３４を十字状にしてもよい。
【００３６】
・図１１（ａ）（ｂ）に示すように、左右の踵用中敷１１Ａ，１１Ｂの踵用中敷シート１２の表面に対し、板状突部１３の外形を表す六角形のリング線３５を描き、このリング線３５と重なるようにアルファベットで、（ＳＴＹＬＥ  ＫＥＥＰＥＲ）スタイルキーパーの文字を表記する。又、踵用中敷シート１２の表面には、リング線３５の中心を通る中心線３６を描き、踵用中敷シート１２の中央部にはアルファベットで「ＫＡＫＡＴＯ」という文字を表記する。一方、図１１（ｃ）（ｄ）に示すように、踵用中敷１１Ａ，１１Ｂの裏面に、中心線３６及び対角線Ｌの延長線Ｌ´を描くとともに、「左」という文字と「右」という文字をそれぞれ丸い線で囲われた状態で描くようにしてもよい。
【００３７】
上記の実施形態の踵用中敷１１Ａ，１１Ｂは、図１１（ｃ）（ｄ）に示す裏面を目視することにより、左右どちらのハイヒールの踵に用いられる中敷であるかを容易に識別することができる。
【００３８】
・図１２（ａ）〜（ｄ）に示す踵用中敷１１Ａ，１１Ｂは、図１１（ａ）〜（ｄ）に示す構成を靴の踵用中敷に同様に適応したものである。
・図１３（ａ）（ｂ）に示す踵用中敷１１Ａ，１１Ｂは、踵用中敷シート１２の表面及び裏面に対し、左右どちらの靴の踵に適用するものであるかを識別する文字は表されていない。これに代えて、この実施形態では左右の靴２１Ａ，２１Ｂの踵の形状及び踵から前方に位置する靴の中間部（足の土踏まずと対応する部分）の被覆部２３の形状に合わせて、踵用中敷シート１２の前側に、識別シート１２ｂが一体に形成されている。この識別シート１２ｂは、図１３（ａ）に示すように左足用の踵用中敷１１Ｂの場合には、識別シート１２ｂの左側縁１２ｃは被覆部２３のほぼストレートな被覆部２３ａの形状に合わせてストレートに形成され、右側縁１２ｄは、外側に膨らむ円弧状の被覆部２３ｂに合わせて、円弧状に形成されている。一方、図１３（ｂ）に示す右足用の靴２１Ａに適用される踵用中敷１１Ａの識別シート１２ｂの右側縁１２ｅは被覆部２３の外側のほぼストレートな被覆部２３ａの形状に合わせてストレートに形成され、左側縁１２ｆは、被覆部２３の外側に膨らむ円弧状の被覆部２３ｂに合わせて、円弧状に形成されている。
【００３９】
又、前記踵用中敷１１Ａ，１１Ｂは、前記踵用中敷シート１２の表面に化粧用のシート３７が接着されるとともに、踵には皮製のシート３８がミシン糸３９によって前記踵用中敷シート１２及びシート３７に縫合わされている。
【００４０】
上記実施形態においては、踵用中敷１１Ａ，１１Ｂの表裏両面に左右の識別用の文字がなくても、左右どちらの靴２１Ａ，２１Ｂの踵に適用されるものであるかを、踵用中敷シート１２の前方に設けた識別シート１２ｂの外形状によって容易に識別することができる。
【００４１】
・  図１４（ａ）〜（ｄ）に示すように、前記板状突部１３の形状を、正五角形、正七角形、正八角形及び星形（五角形の均等物）のいずれか一つにしてもよい。これらの場合にもそれらの中心と一つの頂点を結ぶ対角線Ｌの延長線Ｌ´が前記第１直線Ｌ１と第２直線Ｌ２の間を指向するように貼着するのが望ましい。
【００４２】
・  図１５に示すように、前記踵用中敷シート１２の上面に前記板状突部１３を装着し、踵用中敷シート１２の上面に化粧シート４１を接触させて、その周囲をミシン糸４２により縫着したり、接着剤により接着したりするようにしてもよい。
【００４３】
・  図１６に示すように、板状突部１３を外周ほど高くなる緩やかな円弧状に形成してもよい。
・  図１７に示すように板状突部１３を小突起１３ｃの集合体（六角形の均等物）としてもよい。図１８に示すように板状突部１３を例えば六角形のリング状部１３ｄと小突起１３ｅとにより形成し、小突起１３ｅを永久磁石により形成してもよい。
【００４４】
・  図１９に示すように踵用中敷シート１２の上面に面ファスナー５１のオス型面ファスナー部５２を接着し、一方、板状突部１３の下面にメス型面ファスナー部５３を接着しもよい。
【００４５】
・図示しないが、前記踵用中敷シート１２の平面形状を、円形、半円形、半楕円形、あるいは馬蹄形（後端を直線で結んだ外形状）、その他の任意の形状に形成してもよい。
・  図示しないが、前記中敷シート１２の表裏両面に対し、板状突部１３をそれぞれ接着してもよい。
【００４６】
・  図示しないが、前記中敷シート１２を靴の底の踵支持面の面積よりも大きく設定し、靴底に粘着する前に、中敷シート１２の余剰部分を裁断して除去するようにしてもよい。
【００４７】
・  前記踵用中敷シート１２の裏面に形成した粘着層１５を省略し、踵用中敷シート１２の裏面を、靴底の底面に別途用意した両面粘着テープにより接着するようにしてもよい。又、前記踵用中敷シート１２の裏面に例えばウレタンなどの熱溶融性樹脂を塗布し、該樹脂を加熱して、踵用中敷シート１２を靴底の前面に接着するようにしてもよい。さらに、踵用中敷シート１２の裏面に非加熱タイプの溶融性樹脂を塗布し、この樹脂を用いて踵用中敷シート１２を靴底の底面に接着するようにしてもよい。
【００４８】
・  図示しないが、前記中敷シート１２の表面に対し、前記板状突部１３を成形するキャビティを有する成形型を接触させ、前記キャビティに例えばウレタン樹脂等の熔融樹脂を注入して発泡させることにより前記板状突部１３を成形して融着するようにしてもよい。
【００４９】
・  踵用中敷１１Ａ，１１Ｂに板状突部１３を露出するように取り付ける場合には、衝撃吸収性能に優れたソフトな材料、例えば発泡樹脂成型品により板状突部１３を形成して、使用時の接触感を向上するようにするのが望ましい。
【００５０】
・  踵用中敷シート１２の表面側に板状突部１３を接着してもよい。
・  前記踵用中敷シート１２の材料として、織物、編み物、或いは不織布等の繊維製品以外に合成皮革、人工皮革、塩化ビニール樹脂、レザー、天然皮革等の一般に使われている材料を用いてもよい。
【００５１】
・  前記板状突部１３の材料として、合成樹脂以外に、天然樹脂、又はその発泡体、合成ゴム、天然ゴム又はそれらの発泡体、合成繊維、天然繊維の織物、編み物、不織布又は合成皮革、人工皮革、天然皮革、コルク等材料を用いてもよい。さらに、金、銀、銅、アルミユウム、鉄、ステンレススチール等の金属やセラミック、ガラス、赤外線を発する天然石、磁石或いは人口石等を用いてもよい。
【００５２】
・  前述した靴や靴下以外に、下駄、スリッパ、サンダル、ハイヒール、靴下或いは足袋等の履物に具体化してもよい。又、それらに用いる中敷に具体化してもよい。
（定義）
この明細書で板状突部１３の形状は、五角形、六角形、七角形又は八角形以外にそれらの形状と均等の角形のものも含むものとする。
【符号の説明】
【００５３】
Ｌ…対角線、Ｌ１…第１直線、Ｌ２…第２直線、Ｏ１，Ｏ２，Ｏ３，Ｏ４，Ｏ３１…中心、１１Ａ，１１Ｂ…踵用中敷、１２…踵用中敷シート、１３…板状突部、１５…粘着層、３０…足、３１…踵骨、３１ａ…隆起部、３２…親指。
【図１】
0003153548.tif 000003
【図２】
0003153548.tif 000004
【図３】
0003153548.tif 000005
【図４】
0003153548.tif 000006
【図５】
0003153548.tif 000007
【図６】
0003153548.tif 000008
【図７】
0003153548.tif 000009
【図８】
0003153548.tif 000010
【図９】
0003153548.tif 000011
【図１０】
0003153548.tif 000012
【図１１】
0003153548.tif 000013
【図１２】
0003153548.tif 000014
【図１３】
0003153548.tif 000015
【図１４】
0003153548.tif 000016
【図１５】
0003153548.tif 000017
【図１６】
0003153548.tif 000018
【図１７】
0003153548.tif 000019
【図１８】
0003153548.tif 000020
【図１９】
0003153548.tif 000021